(57)【特許請求の範囲】
【請求項１】
対向する一対の対向面および開口部を有する有底筒状のケースと、前記ケースに収容され、相手方コネクタと嵌合可能に開口したハウジングを有するコネクタと、を備える電気接続箱であって、
前記ケースの前記一対の対向面のうち、一方の対向面には前記コネクタを係止する第１係止部が設けられる一方、他方の対向面には前記コネクタを係止する第２係止部が設けられ、
前記第１係止部と前記第２係止部とは、前記ケースに前記コネクタを収容したときに、前記ハウジングの開口端からの高さが相違するように設けられ、かつ、
前記ハウジングには前記第１係止部と対応する位置に当該第１係止部に係止される第１被係止部が設けられるとともに、前記第２係止部と対応する位置に当該第２係止部に係止される第２被係止部が設けられていることを特徴とする電気接続箱。
【請求項２】
前記ケースにおいて、前記一方の対向面には複数の前記第１係止部が間隔をあけて設けられるとともに、前記他方の対向面には複数の前記第２係止部が間隔をあけて設けられ、
前記ハウジングには、前記複数の第１係止部に対応する位置に複数の前記第１被係止部が設けられるとともに、前記複数の第２係止部に対応する位置に複数の前記第２被係止部が設けられ、
隣り合う前記第１係止部間の間隔は、隣り合う前記第２係止部間の間隔と相違することを特徴とする請求項１に記載の電気接続箱。
【請求項３】
前記コネクタは、一端部が前記ハウジング内に配され他端部が前記ハウジングの奥壁から前記ハウジングの外側に導出される端子金具と、前記端子金具の他端部が電気的に接続される回路基板と、を有し、
前記ケースの内壁には、前記回路基板を前記ケース内に案内する案内溝が形成されていることを特徴とする請求項１または請求項２に記載の電気接続箱。
【請求項４】
前記ケースの内壁には、前記回路基板の方向を誤った方向で挿入したときに当接して前記回路基板の誤挿入を防止する誤挿入防止突部が突出形成されていることを特徴とする請求項３に記載の電気接続箱。
【請求項５】
前記誤挿入防止突部は、前記案内溝に隣接して形成されていることを特徴とする請求項４に記載の電気接続箱。
【請求項６】
前記ハウジングの、前記コネクタを前記ケースに収容するときに前記ケースの開口部と接触する面には、先端に近づくほど薄肉のテーパ面が形成されていることを特徴とする請求項１ないし請求項５のいずれか一項に記載の電気接続箱。
【発明の詳細な説明】
【技術分野】
【０００１】
本発明は、電気接続箱に関する。
【背景技術】
【０００２】
開口部を有する筒状のケースと、ケースに収容され、相手方コネクタと嵌合可能なハウジングを有するコネクタと、を備える電気接続箱としては例えば特許文献１に記載のものなどが知られている。
【０００３】
この電気接続箱においては、ケースにコネクタを収容する際に、ハウジングをケースに係止するための構造として、ハウジングにロック突部を設け、ケースの下端部にロック突部と係合するロック受け部が設けられている。
【先行技術文献】
【特許文献】
【０００４】
【特許文献１】特開２０１１−１９３７７号公報
【発明の概要】
【発明が解決しようとする課題】
【０００５】
上記特許文献１に記載の電気接続箱においては、直方体状をなすケースの対向する２つの面に、それぞれ２つのロック受け部が設けられている。この電気接続箱において、一方の面に設けられた２つのロック受け部と他方の面に設けられた２つのロック受け部は、ケースの中心軸に対して概ね対称となる位置に設けられている。そのため、ケースにコネクタを収容する際に、コネクタの向き（配置方向）を誤って収容し、結合してしまうことがあった。コネクタを、配置方向を誤ったままケースに結合すると、収容作業のやり直しが必要となったり、コネクタを構成する部品（端子や基板など）を破損するおそれがある。
【０００６】
本発明は上記のような事情に基づいて完成されたものであって、ケースとコネクタとの誤結合を防止した電気接続箱を提供することを目的とする。
【課題を解決するための手段】
【０００７】
上記課題を解決するものとして本発明は、対向する一対の対向面および開口部を有する有底筒状のケースと、前記ケースに収容され、相手方コネクタと嵌合可能に開口したハウジングを有するコネクタと、を備える電気接続箱であって、前記ケースの前記一対の対向面のうち、一方の対向面には前記コネクタを係止する第１係止部が設けられる一方、他方の対向面には前記コネクタを係止する第２係止部が設けられ、前記第１係止部と前記第２係止部とは、前記ケースに前記コネクタを収容したときに、前記ハウジングの開口端からの高さが相違するように設けられ、かつ、前記ハウジングには前記第１係止部と対応する位置に当該第１係止部に係止される第１被係止部が設けられるとともに、前記第２係止部と対応する位置に当該第２係止部に係止される第２被係止部が設けられているところに特徴を有する。
【０００８】
本発明において、ケースの一対の対向面のうち一方の面に設けられた第１係止部と、他方の面に設けられた第２係止部とは、ケースにコネクタを収容したときに、ハウジングの開口端からの高さが相違するように設けられており、ハウジングの第１被係止部はケースの第１係止部に対応する位置に形成されるとともに、ハウジングの第２被係止部はケースの第２係止部に対応する位置に形成されている。つまり、本発明において、ハウジングの第１被係止部はケースの第２係止部とは位置が対応せず、ハウジングの第２被係止部はケースの第１係止部とは位置が対応していない。したがって、本発明においては、コネクタの方向を間違えてケースに挿入した場合であっても、第１係止部と第２被係止部、および、第２係止部と第１被係止部がともに係止状態となることはないので、コネクタの配置方向を誤ったままケースに収容し結合させるという事態は生じない。
その結果、本発明によればケースとコネクタとの誤結合を防止した電気接続箱を提供することができる。
【０００９】
本発明は、以下の構成としてもよい。
前記ケースにおいて、前記一方の対向面には複数の前記第１係止部が間隔をあけて設けられるとともに、前記他方の対向面には複数の前記第２係止部が間隔をあけて設けられ、前記ハウジングには、前記複数の第１係止部に対応する位置に複数の前記第１被係止部が設けられるとともに、前記複数の第２係止部に対応する位置に複数の前記第２被係止部が設けられ、隣り合う前記第１係止部間の間隔は、隣り合う前記第２係止部間の間隔と相違してもよい。
【００１０】
このような構成とすると、第１係止部間の間隔と第２係止部間の間隔が相違するので、ケースにコネクタを収容する前に、ケースの係止部の間隔と、ハウジングの被係止部の間隔を確認し対応させることにより、ケースに対してコネクタを正しい方向に配置することができる。また、もし誤って第１係止部が設けられている面をコネクタの第２被係止部側に配置し、第２係止部が配置されている面をコネクタの第１被係止部側に配置したとしても、第１係止部間の間隔と第２係止部間の間隔が相違しているので、ケースとコネクタとを係止・結合することができない。その結果、上記構成によれば、ケースとコネクタとの誤結合を確実に防止することができる。
【００１１】
前記コネクタは、一端部が前記ハウジング内に配され他端部が前記ハウジングの奥壁から前記ハウジングの外側に導出される端子金具と、前記端子金具の他端部が電気的に接続される回路基板と、を有し、前記ケースの内壁には、前記回路基板を、前記ケース内に案内する案内溝が形成されていてもよい。
【００１２】
このような構成とすると、回路基板を有するコネクタをケースに収容する際に、ケース内に形成されている案内溝により回路基板が案内されるので、コネクタをケースに収容する際に回路基板をケースの案内溝に沿うように配置すればコネクタを正しい方向に配置してケース内に収容することができる。その結果、上記構成によれば、回路基板を備えるコネクタとケースとの誤結合を防止することができる。
【００１３】
前記ケースの内壁には、前記回路基板の方向を誤った方向で挿入したときに当接して前記回路基板の誤挿入を防止する誤挿入防止突部が突出形成されていてもよい。
このような構成とすると、回路基板を備えるコネクタを誤った方向に配置してケース内に収容しようとした場合に、回路基板がケース内壁の誤挿入防止突部と当接しそれ以上の挿入が規制される。
【００１４】
前記誤挿入防止突部は、前記案内溝に隣接して形成されていてもよい。このような構成とすると、案内溝と隣接して形成されている誤挿入防止突部が、正しい姿勢で挿入された回路基板を保持する。
【００１５】
前記ハウジングの、前記コネクタを前記ケースに収容するときに前記ケースの開口部と接触する面には、先端に近づくほど薄肉のテーパ面が形成されていてもよい。
このような構成とすると、コネクタをケースに収容するときにケースの開口部がハウジングのテーパ面に案内されるので、ケースにコネクタを収容する作業を円滑に行うことができる。
【発明の効果】
【００１６】
本発明によれば、ケースとコネクタとの誤結合を防止した電気接続箱を提供することができる。
【図面の簡単な説明】
【００１７】
【図１】実施形態１の電気接続箱の斜視図
【図２】電気接続箱の正面図
【図３】電気接続箱の背面図
【図４】電気接続箱の底面図
【図５】図４のＡ−Ａ断面図
【図６】図４のＢ−Ｂ断面図
【図７】図４のＣ−Ｃ断面図
【図８】図４のＤ−Ｄ断面図
【図９】ケースの底面図
【図１０】開口部側から見たケースの斜視図
【図１１】図９のＥ−Ｅ断面図
【図１２】コネクタの底面図
【図１３】コネクタの背面図
【図１４】正面側から見たコネクタの斜視図
【発明を実施するための形態】
【００１８】
＜実施形態１＞
本発明を車載用の電気接続箱１０に適用した一実施形態を図１ないし図１４を参照しつつ説明する。本実施形態に係る電気接続箱１０は、合成樹脂製のケース１１内にコネクタ２０と回路基板３０とを収容してなる。この電気接続箱１０は、図示しない車両に搭載されて、図示しない電源からの電力を図示しない負荷に分配する。なお、以下の説明においては、図１における上方を上方とし、下方を下方とする。また、図４、図９および図１２における右側を表側とし、左側を裏側とする。
【００１９】
（ケース１１）
図１に示すように、ケース１１は概ね直方体形状をなしている（有底筒状の一例）。ケース１１は、図９に示すように、下方に開口部１１Ａを有している。ケース１１の４つの側面のうち、面積の小さいほうの２つの面（図２において左に配されている側面を「左側面１２Ｄ」、右に配されている側面を「右側面１２Ｃ」という）は対向する位置に配されており、その外側には、図２に示すように、上方に片持ち状に延びると共に弾性撓み変形可能な舌片１３Ａがそれぞれ形成されている。この舌片１３Ａには、舌片１３Ａの肉厚方向外方に突出するロック突部１３Ｂが形成されている。このロック突部１３Ｂが電気接続箱１０を収容する収容部（図示せず）に設けたロック受け部と係合することで、電気接続箱１０が収容部に位置決めされるようになっている。
【００２０】
また、ケース１１の左側面１２Ｄ及び右側面１２Ｃの内壁１２Ｅ（ケース１１の内壁１２Ｅ）には、図５、図７および図１０に示すように、回路基板３０をケース１１内に案内する案内溝１４Ａがそれぞれ形成されている。案内溝１４Ａは、ケース１１の内壁１２Ｅに、２本のリブ１４Ｂ，１４Ｃを回路基板３０の厚みよりもやや大きい間隔をあけて形成することにより設けられている。つまり２本のリブ１４Ｂ，１４Ｃの間の部分が案内溝１４Ａとして機能する。ケース１１の上面１０Ｂ（底部の一例）の近傍において、案内溝１４Ａには、回路基板３０の側方への移動を規制する規制突部１４Ｄが形成されている。２本のリブ１４Ｂ,１４Ｃのうち、ケース１１の表側面１２Ａ側のリブ１４Ｂを第１リブ１４Ｂとし、ケース１１の裏側面１２Ｂ側のリブ１４Ｃを第２リブ１４Ｃとする。
【００２１】
ケース１１の左側面１２Ｄ及び右側面１２Ｃの内壁１２Ｅにおいては、第１リブ１４Ｂと重なるように（案内溝１４Ａと隣接して）誤挿入防止突部１５が突出形成されている。この誤挿入防止突部１５は、回路基板３０の方向を誤った方向で挿入したときに当接して挿入を規制し、回路基板３０の誤挿入を防止する機能を有している。
【００２２】
ケース１１の４つの側面のうち、面積の大きいほうの２つの面１２Ａ，１２Ｂ（図２及び図３の紙面に示されている面）は、対向する位置に配されている（「一対の対向面」に相当）。ケース１１の図２の紙面に示されている面１２Ａ（表側面１２Ａ）の略中央には、高さ方向に伸びる突部１６が１本形成されている。ケース１１の図３の紙面に示されている面１２Ｂ（裏側面１２Ｂ）には高さ方向に伸びる突部１６が２本形成されている。本実施形態では、ケース１１に形成された突部１６の数を確認することによっても、表裏を判断することが可能である。
【００２３】
ケース１１の表側面１２Ａの下端部には、図２に示すように、コネクタ２０の第１係止突部２２（第１被係止部の一例）に係止される第１係止孔１７（第１係止部の一例）が２つ間隔をあけて設けられており、ケース１１の裏側面１２Ｂの下端部には、図３に示すように、コネクタ２０の第２係止突部２３（第２被係止部の一例）に係止される第２係止孔１８（第２係止部の一例）が２つ間隔をあけて設けられている。隣り合う第１係止孔１７，１７の間隔は、隣り合う第２係止孔１８，１８の間隔よりも小さく設定されている。
【００２４】
第１係止孔１７および第２係止孔１８は、図６および図７に示すように、コネクタ２０を収容した状態において、コネクタ２０のハウジング２１の開口端２１Ｂからの高さが第１係止孔１７のほうが第２係止孔１８よりも、高い位置に配されるように（相違するように）設けられている。本実施形態では、ケース１１の上面１０Ｂを上に配置すると、図６に示すように、第１係止孔１７のほうが第２係止孔１８よりも高い位置に配され、ケース１１の下側の端部１１Ｃの位置も表側面１２Ａのほうが裏側面１２Ｂよりも高い位置に配されるようになっている。
【００２５】
第１係止孔１７の周縁および第２係止孔１８の周縁には、他の部分よりも肉厚に形成された肉厚部１７Ａ，１８Ａが設けられている。肉厚部１７Ａ，１８Ａは第１係止孔１７の周縁部および第２係止孔１８の周縁部のうち、上縁部を除く部分にＵ字状をなして設けられ、これにより第１係止孔１７および第２係止孔１８の強度が確保されている。
【００２６】
ケース１１の下端部は、表側面１２Ａにおいては第１係止孔１７の形成されている領域が下方に延出され、裏側面１２Ｂにおいては第２係止孔１８の形成されている領域が下方に延出された形状をなしている。なお、ケース１１の下端部において、裏側面１２Ｂの延出部分１９は表側面１２Ａの延出部分１９よりも幅広に形成されている。
【００２７】
（回路基板３０）
図６および図８に示すように、ケース１１内には、プリント配線技術により導電路（図示せず）が形成された回路基板３０が収容されている。この回路基板３０は概ね長方形状をなしている。回路基板３０は、ケース１１内において、ケース１１の裏側面１２Ｂの壁面に対して、板面が平行となる姿勢で配されている。回路基板３０の表側面（図６における右側の面）に形成された導電路には、図示しない電子部品が実装されている。
【００２８】
回路基板３０の下端部は、コネクタ２０のハウジング２１の奥壁２４の外側面に設けたネジ孔２５Ａにネジ止めすることにより固定されている。回路基板３０の下端部の略中央部には、ネジ孔２５Ａにネジ止めされるネジ挿通孔３１が形成されている。回路基板３０の下端部には、ネジ挿通孔３１を挟んだ両側に２つの位置決め孔３２が形成され、図１３における左側の位置決め孔３２の隣には切欠部３３が形成されており、ハウジング２１の奥壁２４の外側面に設けた３つの位置決め突部２５Ｂがそれぞれ挿通されている。
【００２９】
（コネクタ２０）
図６に示すように、ケース１１の開口部１１Ａ内には、合成樹脂製のコネクタ２０が、開口部１１Ａを塞いで配設されている。コネクタ２０は、液体状の合成樹脂材を金型内に注入した後、固化することにより形成される。成形方法としては、射出成形等、公知の手法を用いることができる。コネクタ２０は、相手方コネクタ（図示せず）が嵌合可能に下方が開口２１Ａしたハウジング２１を備える（図１２を参照）。相手側コネクタには、負荷に接続されたワイヤーハーネスが接続される。
【００３０】
ハウジング２１には、図６に示すように、ハウジング２１の肉厚方向外方に突出する第１係止突部２２および第２係止突部２３が形成されている。詳しくは、ハウジング２１には、表側（図６における右側）に位置するハウジング２１から外側に突出し、ケース１１の第１係止孔１７，１７に係止される第１係止突部２２，２２（第１被係止部）が２つ間隔をあけて形成されている。また、ハウジング２１には、裏側（図６における左側）に位置するハウジング２１から外側に突出しケース１１の第２係止孔１８，１８に係止される第２係止突部２３，２３（第２被係止部）が２つ間隔をあけて形成されている。
【００３１】
第１係止突部２２は、ケース１１の第１係止孔１７と対応する位置に形成され、第２係止突部２３はケース１１の第２係止孔１８と対応する位置に形成されている。第１係止突部２２は第２係止突部２３よりもハウジング２１の開口端２１Ｂからの高さが高い位置に形成されている。第１係止突部２２と第１係止孔１７、および第２係止突部２３と第２係止孔１８がそれぞれ弾性的に係合することにより、コネクタ２０が、ケース１１に対して一体に組み付けられるようになっている。
【００３２】
ハウジング２１の開口縁には図１２〜図１４に示すように、膨出部２６が設けられている。ハウジング２１の膨出部２６の形状はケース１１の開口部１１Ａ（下側の端部）の形状に対応した形状である。つまり膨出部２６は第１係止突部２２の形成範囲および第２係止突部２３の形成範囲にあわせて設けられている。ハウジング２１の第１係止突部２２の形成されている領域では第２係止突部２３の形成されている領域よりも膨出部２６の高さが高く設定されている。膨出部２６の、図１３における左右の側面側の領域、つまりケース１１の右側面１２Ｃと左側面１２Ｄが配置される領域においては、膨出部２６の上端は、奥壁２４よりも高い位置に設定されている。
【００３３】
ハウジング２１の膨出部２６と奥壁２４との間にはケース１１の右側面１２Ｃと左側面１２Ｄを挿入可能なケース受入溝２７が形成されている。膨出部２６の図１３における左右の側面側の領域においては、膨出部２６の上端（先端）に近づくに従い薄肉のテーパ面２８が形成されている。
【００３４】
ハウジング２１の奥壁２４の外側面には回路基板３０をネジ止めするネジ孔２５Ａが上方に突出形成されている。ハウジング２１の奥壁２４の外側面には、ネジ孔２５Ａを挟んで図１３における左側に２つの位置決め突部２５Ｂ、図１３における右側に１つの位置決め突部２５Ｂが上方に突出形成されている。
【００３５】
なお、本実施形態においては、電気接続箱１０はコネクタ２０を下側に向けた姿勢で図示されているが、電気接続箱１０は、必要に応じて、任意の姿勢で車両に搭載可能である。
【００３６】
（端子金具２９）
ハウジング２１の奥壁２４には、複数の端子金具２９が貫通して配されている。端子金具２９は金属板材を所定の形状にプレス加工することにより形成される。端子金具２９の一端部２９Ａ（図６において下側に位置する端部）は、ハウジング２１内に位置するように配されている。端子金具２９の一端部２９Ａは、ハウジング２１内に嵌合された相手側コネクタと電気的に接続されるようになっている。
【００３７】
また、端子金具２９の他端部２９Ｂは、奥壁２４を貫通してハウジング２１の外側（図６における上方）に導出され、その後回路基板３０側に向けて直角に曲げ加工され、回路基板３０に貫通されている。端子金具２９の他端部２９Ｂは、回路基板３０に形成された導電路に、半田付け等の公知の手法により電気的に接続されている。
【００３８】
端子金具２９は、コネクタ２０の奥壁２４において、表裏方向（図６における左右方向）について２段に並んで配されている。更に端子金具２９は、図８における左側から右側に向かう方向について並んで配されている。
【００３９】
（電気接続箱１０の組み立て）
本実施形態の電気接続箱１０を組み立てる際には、まず、コネクタ２０のハウジング２１の奥壁２４に回路基板３０をネジ止めにより取り付けた後、回路基板３０に端子金具２９を半田付けなどにより接続する。次に、回路基板３０を取り付けたコネクタ２０を、ケース１１に収容する。
コネクタ２０をケース１１に収容する際には、まず、コネクタ２０の回路基板３０の取り付けられた側の面をケース１１の裏側面１２Ｂ側に配する。本実施形態では、ケース１１の表側面１２Ａと裏側面１２Ｂの下側の端部１１Ｃの位置、第１係止孔１７と第２係止孔１８の高さ、２つの第１係止孔１７，１７間の間隔と２つの第２係止孔１８，１８間の間隔、ならびに表側面１２Ａと裏側面１２Ｂの突部１６の数が相違するので、これらを確認することによって、ケース１１の表裏を判断することができる。
【００４０】
正しい位置に配置したコネクタ２０の回路基板３０の上端部をケース１１内に差し込むと、ケース１１の左側面１２Ｄおよび右側面１２Ｃの内壁に形成した案内溝１４Ａに回路基板３０が案内され、回路基板３０をケース１１内に円滑に挿入することができる。
【００４１】
コネクタ２０を、ハウジング２１の膨出部２６の上端部がケース１１の左側面１２Ｄおよび右側面１２Ｃの下端部と当接するところまで差し込むと、ケース１１の開口部１１Ａがハウジング２１のテーパ面２８に案内されケース受入溝２７内に挿入される。
【００４２】
コネクタ２０を、ハウジング２１の第１係止突部２２がケース１１の表側面１２Ａの下側の端部１１Ｃと当接するところまで差し込むと、第１係止突部２２によりケース１１の表側面１２Ａの第１係止孔１７の下側の肉厚部１７Ａが押され外側方向へ弾性変形する。さらにコネクタ２０を差し込むと、ハウジング２１の第２係止突部２３がケース１１の裏側面１２Ｂの下側の端部１１Ｃと当接し、第２係止突部２３によりケース１１の裏側面１２Ｂの第２係止孔１８の下側の肉厚部１８Ａが押され外側方向へ弾性変形する。
【００４３】
第１係止孔１７内に第１係止突部２２が配されると第１係止孔１７の肉厚部１７Ａが弾性復帰して第１係止突部２２が第１係止孔１７に係止され、次いで第２係止孔１８内に第２係止突部２３が配されると第２係止孔１８の肉厚部１８Ａが弾性復帰して第２係止突部２３が第２係止孔１８に係止される。このとき、回路基板３０の上端部はケース１１の上面１０Ｂの近傍にまで到達し、案内溝１４Ａに形成されている規制突部１４Ｄに当接して側方への移動が規制されるとともに、第１リブ１４Ｂに重なるように形成された誤挿入防止突部１５と第２リブ１４Ｃとに挟まれた状態で保持される。このようにしてコネクタ２０をケース１１に収容すると電気接続箱１０の組み立てが完了する。
【００４４】
（本実施形態の作用および効果）
本実施形態において、コネクタ２０を誤った方向に配置してケース１１に挿入しようとすると、ケース１１の内壁には、回路基板３０の方向を誤った方向で挿入したときに当接して回路基板３０の誤挿入を防止する誤挿入防止突部１５が突出形成されているから、コネクタ２０に取り付けた回路基板３０をケース１１に少し差し込むだけで、回路基板３０とケース１１の内壁１２Ｅの誤挿入防止突部１５とが当接し、回路基板３０のケース１１の上面１０Ｂ方向への挿入が規制される。その結果コネクタ２０とケース１１との誤結合を防止することができる。
【００４５】
ところで、上述したように、本発実施形態においては、誤挿入防止突部１５により、回路基板３０をケース１１に少し差し込むだけでコネクタ２０の挿入が規制されるため、コネクタ２０の配置方向が誤っていることを早期に知ることができる。
【００４６】
しかしながら、本実施形態においては、コネクタ２０を誤った方向に配置したままさらにケース１１内に挿入したとしても、ケース１１の一対の対向面（表側面１２Ａおよび裏側面１２Ｂ）のうち表側面１２Ａに設けられた第１係止孔１７と、裏側面１２Ｂに設けられた第２係止孔１８とは、ケース１１にコネクタ２０を収容したときに、第１係止孔１７のほうが第２係止孔１８よりもハウジング２１の開口端２１Ｂからの高さが高い位置に設けられており、ハウジング２１の第１係止突部２２および第２係止突部２３はそれぞれケース１１の第１係止孔１７および第２係止孔１８に対応する位置に形成されている。加えて、本実施形態においては、隣り合う第１係止孔１７，１７間の間隔と、隣り合う第２係止孔１８，１８間の間隔も相違している。
【００４７】
つまり、本実施形態において、コネクタ２０を誤った方向に配置してケース１１に収容しようとしても、ハウジング２１の第１係止突部２２はケース１１の第２係止孔１８とは位置（高さおよび間隔）が対応せず、ハウジング２１の第２係止突部２３はケース１１の第１係止孔１７とは位置（高さおよび間隔）が対応しない。したがって、本実施形態おいては、コネクタ２０の方向を間違えてケース１１に挿入した場合であっても、第１係止孔１７と第２係止突部２３、および、第２係止孔１８と第１係止突部２２がともに係止状態となることはないので、コネクタ２０の配置方向を誤ったままケース１１に収容し結合することはできない。
【００４８】
また、本実施形態によれば、ケース１１の内壁１２Ｅには、回路基板３０を、ケース１１内に案内する案内溝１４Ａが形成されているから、回路基板３０を有するコネクタ２０をケース１１に収容する際に、ケース１１内に形成されている案内溝１４Ａにより回路基板３０が案内されるので、コネクタ２０をケース１１に収容する際に回路基板３０をケース１１の案内溝１４Ａに沿うように配置すればコネクタ２０を正しい方向に配置してケース１１内に収容することができる。  
【００４９】
また、本実施形態によれば、ハウジング２１の、コネクタ２０をケース１１に収容するときにケース１１の開口部１１Ａと接触する面には、先端に近づくほど薄肉のテーパ面２８が形成されているから、コネクタ２０をケース１１に収容するときにケース１１の開口部１１Ａがハウジング２１のテーパ面２８に案内されるので、ケース１１にコネクタ２０を収容する作業を円滑に行うことができる。
【００５０】
＜他の実施形態＞
本発明は上記記述及び図面によって説明した実施形態に限定されるものではなく、例えば次のような実施形態も本発明の技術的範囲に含まれる。
（１）上記実施形態では、一方の面と他方の面とで、形成されている突部の数が相違するケースを示したが、突部の数は一方の面と他方の面とで同じであってもよいし、突部が形成されていないケースであってもよい。
（２）上記実施形態では第１係止孔および第２係止孔をそれぞれ２つずつ備えるケースを備え、第１係止突部および第２係止突部をそれぞれ２つずつ備えるハウジングを有するコネクタを備えるものをしめしたが、本発明はこれに限定されない。第１係止孔、第２係止孔、第１係止突部、第２係止突部の数は１つずつでもよいし３以上でもよい。また第１係止孔の数と第２係止孔の数は同一でなくてもよい。
（３）上記実施形態では第１係止孔間の間隔と第２係止孔間の間隔が相違するものをしめしたが、第１係止孔間の間隔と第２係止孔間の間隔が同じものであってもよい。
（４）上記実施形態では回路基板を備えるコネクタを示したが、回路基板を備えないコネクタであっても本発明を適用することができる。
（５）上記実施形態では内壁に案内溝と誤挿入防止突部を設けたケースを示したが、案内溝のみあるいは誤挿入防止突部のみを設けたケースであってもよい。また誤挿入防止突部が案内溝と隣接して形成されているものを示したが、案内溝と隣接しない位置例えばケースの裏側面の内壁の挿入方向の奥側に誤挿入防止突部を設けてもよい。
（６）上記実施形態では、ハウジングの、コネクタをケースに収容するときに開口部（下端部）と接触する面にテーパ面が形成されているものを示したが、テーパ面が形成されていないものであってもよい。
【符号の説明】
【００５１】
１０…電気接続箱
１１…ケース
１１Ａ…開口部
１１Ｂ…上面
１２Ａ…表側面（一方の面）
１２Ｂ…裏側面（他方の面）
１２Ｅ…内壁
１４Ａ…案内溝
１４Ｂ…第１リブ
１４Ｃ…第２リブ
１５…誤挿入防止突部
１７…第１係止孔（第１係止部）
１８…第２係止孔（第２係止部）
２０…コネクタ
２１Ａ…開口
２１…ハウジング
２１Ｂ…開口端
２２…第１係止突部（第１被係止部）
２３…第２係止突部（第２被係止部）
２４…奥壁
２８…テーパ面
２９…端子金具
２９Ａ…一端部
２９Ｂ…他端部
３０…回路基板
【図１】
0005626104.tif 000002
【図２】
0005626104.tif 000003
【図３】
0005626104.tif 000004
【図４】
0005626104.tif 000005
【図５】
0005626104.tif 000006
【図６】
0005626104.tif 000007
【図７】
0005626104.tif 000008
【図８】
0005626104.tif 000009
【図９】
0005626104.tif 000010
【図１０】
0005626104.tif 000011
【図１１】
0005626104.tif 000012
【図１２】
0005626104.tif 000013
【図１３】
0005626104.tif 000014
【図１４】
0005626104.tif 000015